(57)【要約】【課題】ハンドル部４１により不用意にラッチ２６が解除されて開き戸Ｄが開くことを回避しつつ、手先の運動機能に障害がある身障者や握力の弱い高齢者等であっても開き戸Ｄを開け易くする。【解決手段】開き戸Ｄのドアハンドル装置１４として、戸パネル１０の移動方向と実質的に垂直な下方向に操作力が加えられる操作力作用面４７を有するハンドル部４１を、戸パネル１０の表面側及び裏面側にそれぞれ操作方向に移動可能に設け、このハンドル部４１がラッチ解除位置に移動したときにラッチ２６をロック解除状態に切り換えるようにする。【選択図】図１
2008208560.tif 000002
【特許請求の範囲】
【請求項１】
戸パネルの閉じ位置で戸先端面から突出したときに枠のラッチ受けに係合して戸パネルを閉じ位置に保持するラッチを備えた開き戸のハンドル装置であって、
上記ラッチは、戸先端面から突出して保持されるロック状態と、戸先端面に対し出没可能となるロック解除状態とに切り換わるものとされ、
戸パネルの表面側及び裏面側にそれぞれ戸パネルの移動方向と実質的に垂直な操作方向に移動可能に設けられ、かつ上記操作方向の操作力が加えられる操作力作用面を有し、該操作力作用面への操作力の作用により上記操作方向に沿ってラッチ非解除位置からラッチ解除位置に移動する１対のハンドル部と、
上記各ハンドル部がラッチ解除位置に移動したときに上記ラッチをロック解除状態に切り換えるラッチ切換機構とを備えたことを特徴とする開き戸のハンドル装置。
【請求項２】
請求項１の開き戸のハンドル装置において、
ハンドル部の少なくとも操作力作用面に滑り止め処理が施されていることを特徴とする開き戸のハンドル装置。
【請求項３】
請求項１又は２の開き戸のハンドル装置において、
ハンドル部は、下方向に操作力が加えられる操作力作用面を有する操作部と、
戸パネルに揺動可能に設けられ、上記操作部が下方向に移動したときに外側端が下方向に移動して内側端が上方向に移動する杆部とを備える一方、
ラッチ切換機構は、戸パネルに揺動可能に設けられかつ上記杆部の内側端が上方向に移動したときに一端が上方向に移動して他端が下方向に移動するトリガー部と、
上記トリガー部の他端に設けられ、上記ラッチをロック状態に固定するための突起部とを備えていて、ハンドル部がラッチ解除位置に移動したときに、トリガー部の移動により突起部が下方向に移動してラッチがロック解除状態に切り換えられるように構成されていることを特徴とする開き戸のハンドル装置。
【請求項４】
請求項１〜３のいずれか１つの開き戸のハンドル装置を備えたことを特徴とする開き戸。
【請求項５】
請求項４の開き戸において、
戸パネルを、少なくともラッチが解除された半開き位置まで移動するように開放方向に付勢する付勢手段を備えていることを特徴とする開き戸。
【発明の詳細な説明】
【技術分野】
【０００１】
本発明は、開き戸のラッチをロック解除させるためのハンドル装置及びそれを備えた開き戸に関するものである。
【背景技術】
【０００２】
一般に、この種の開き戸は建築物の開口部を開閉するために設けられており、この開き戸には、枠のラッチ受けに係合して戸パネルの閉鎖状態を保持するためのラッチが設けられている。そして、このラッチとラッチ受けとの係合を解除して開き戸を開くためには、ノブ（握り玉）やレバーハンドルを設け、それらを握った状態で回動操作することでラッチを解除する手段や、プッシュプルハンドルを用い、戸パネルを奥側に移動させて開く場合にはハンドルを奥に押す操作（プッシュ操作）を、また手前側（操作者側）に移動させて開く場合にはハンドルを手前に引く操作（プル操作）をそれぞれ行うことにより、ラッチを解除する手段が知られている。
【０００３】
しかしながら、例えばノブやレバーハンドルの場合は、ラッチの解除操作のために握り操作が必要となる。一方、プッシュプルハンドルの場合は、手前に引くプル操作の際にハンドルに指を掛ける操作が必要であり、これらはいずれも、手先の運動機能に障害がある身障者や握力の弱い高齢者等には使い辛いものであった。
【０００４】
これを解決する手段として、従来、例えば特許文献１に示される「プッシュプル錠」と呼ばれるものが提案されている。この提案のものでは、プッシュ側及びプル側の操作ハンドルが共に斜め上方を向くように設けられている。そのため、戸パネルを手前側に移動させて開く際の、ハンドルを引くプル操作が操作ハンドルを手前側に倒す操作により行うことができ、手先の運動機能に障害がある身障者や握力の弱い高齢者等であっても開き戸が開け易いという効果がある。
【特許文献１】特開平１１−５０７０７号公報
【発明の開示】
【発明が解決しようとする課題】
【０００５】
しかしながら、特許文献１のプッシュプルハンドルでは、戸パネルを奥側に移動させて開く際には、操作ハンドルの向きが横方向から斜め上方に変わったという違いはあるものの、従来のプッシュプルハンドル同様に、ハンドルを戸パネルの開き方向と同方向（奥側）に押すプッシュ操作によりラッチを解除するようになっている。そのため、ハンドルに凭れ掛った場合や、体重移動が不得意な高齢者等がプッシュ操作を行った場合に、不意にラッチが解除されて開き戸が開いてしまい、その開き戸の開放と共に転倒する虞れ等があった。
【０００６】
本発明は斯かる点に鑑みてなされたもので、その目的は、開き戸のハンドル装置に改良を加えることにより、ハンドル部により不用意にラッチが解除されて開き戸が開くことを回避しつつ、手先の運動機能に障害がある身障者や握力の弱い高齢者等であっても開き戸を開け易くしようとすることにある。
【課題を解決するための手段】
【０００７】
上記の目的を達成すべく、この発明では、開き戸のハンドル部を工夫し、そのハンドル部が戸パネルの開閉移動方向と垂直な方向に開き操作されるようにした。
【０００８】
具体的には、請求項１の発明では、戸パネルの閉じ位置で戸先端面から突出したときに枠のラッチ受けに係合して戸パネルを閉じ位置に保持するラッチを備えた開き戸のハンドル装置として、上記ラッチは、戸先端面から突出して保持されるロック状態と、戸先端面に対し出没可能となるロック解除状態とに切り換わるものとする。
【０００９】
また、戸パネルの表面側及び裏面側にそれぞれ戸パネルの移動方向と実質的に垂直な操作方向に移動可能に設けられ、かつ上記操作方向に操作力が加えられる操作力作用面を有し、該操作力作用面への操作力の作用により上記操作方向に沿ってラッチ非解除位置からラッチ解除位置に移動する１対のハンドル部と、この各ハンドル部がラッチ解除位置に移動したときに上記ラッチをロック解除状態に切り換えるラッチ切換機構とを備えたことを特徴とする。
【００１０】
上記の構成によると、開き戸を開く場合、まず、その戸パネルの表面側及び裏面側にそれぞれ設けられたハンドル部の一方又は両方の操作力作用面に戸パネルの移動方向と実質的に垂直な操作方向に操作力を加えて、そのハンドル部を操作方向に沿ってラッチ解除位置に達するまで移動させる。このハンドル部の移動に伴い、ラッチ切換機構によりラッチがロック解除状態に切り換えられ、次に、このラッチのロック解除状態で操作力作用面に操作力を加えたままで、ハンドル部を手前側に引くか或いは奥側へ押すか等して戸パネルを開き動作させればよい。
【００１１】
このように、ハンドル部の操作力作用面に戸パネルの移動方向と実質的に垂直な操作方向に操作力を加えて、ハンドル部をラッチ解除位置に達するまで移動させない限り、ラッチがロック解除状態にならないため、プッシュ式のハンドルのように不意にラッチが解除されて開き戸が開き、その開き戸の開放と共に転倒する等の事故を防ぐことができる。
【００１２】
また、ハンドル部を操作力作用面で操作してラッチ解除位置に移動させると、ラッチのロックが解除されるので、従来のように握り操作や指掛け操作を要することなく開き戸の開閉ができ、手先の運動機能に障害がある身障者や握力の弱い高齢者等であっても開き戸が開け易い。
【００１３】
請求項２の発明では、請求項１の開き戸のハンドル装置において、ハンドル部の少なくとも操作力作用面に滑り止め処理が施されていることを特徴とする。
【００１４】
こうすれば、ラッチを解除するためのハンドル部の操作、及びハンドル部によって戸パネルを手前に引く操作又は奥側に押す操作を滑ることなく確実に行うことができる。
【００１５】
請求項３の発明では、請求項１又は２の開き戸のハンドル装置において、上記ハンドル部は、下方向に操作力が加えられる操作力作用面を有する操作部と、戸パネルに揺動可能に設けられ、上記操作部が下方向に移動したときに外側端が下方向に移動して内側端が上方向に移動する杆部とを備えたものとする。
【００１６】
また、ラッチ切換機構は、戸パネルに揺動可能に設けられかつ上記杆部の内側端が上方向に移動したときに一端が上方向に移動して他端が下方向に移動するトリガー部と、このトリガー部の他端に設けられ、上記ラッチをロック状態に固定するための突起部とを備えていて、ハンドル部がラッチ解除位置に移動したときに、トリガー部の移動により突起部が下方向に移動してラッチがロック解除状態に切り換えられるように構成する。
【００１７】
この発明では、開き戸を開く場合、ハンドル部の操作力作用面に下向きの操作力を加えると、そのハンドル部がラッチ非解除位置から下方向に向かってラッチ解除位置に移動する。このハンドル部の下降移動に伴い、ラッチ切換機構の杆部が回動して外側端が下方向に移動する一方、その内側端が上方向に移動する。この杆部の回動によってトリガー部も回動し、その一端が上方向に移動して他端が下方向に移動し、このトリガー部の他端に設けられている突起部が下方向に移動して、ラッチが戸パネル内へ没入可能なロック解除状態に切り換えられる。よって、この発明でも請求項１の発明と同様の作用効果を奏することができる。
【００１８】
請求項４の発明は開き戸に係るもので、この開き戸は、請求項１〜３のいずれか１つの開き戸のハンドル装置を備えたことを特徴とする。この発明でも請求項１の発明と同様の作用効果が得られる。
【００１９】
請求項５の発明では、上記請求項４の開き戸において、戸パネルを、少なくともラッチが解除された半開き位置まで移動するように開放方向に付勢する付勢手段を備えていることを特徴とする。
【００２０】
この発明では、付勢手段により戸パネルを開き戸の開放方向に付勢するため、開き戸の開放動作をより容易に行うことができる。
【発明の効果】
【００２１】
以上説明のように、請求項１、３又は４の発明によると、開き戸のドアハンドル装置として、戸パネルの移動方向と実質的に垂直な操作方向に操作力が加えられる操作力作用面を有するハンドル部を、戸パネルの表面側及び裏面側にそれぞれ操作方向に移動可能に設け、このハンドル部がラッチ解除位置に移動したときに、ラッチをロック解除状態に切り換えるようにしたことにより、ハンドル部により不用意にラッチが解除されて開き戸が開くことを回避しつつ、手先の運動機能に障害がある身障者や握力の弱い高齢者等であっても開き戸を開け易くすることができる。
【００２２】
請求項２の発明によると、ハンドル部の少なくとも操作力作用面に滑り止め処理を施したことにより、ハンドル部によるラッチ解除操作及び戸パネルに対する引き操作又は押し操作を滑ることなく確実に行うことができる。
【００２３】
請求項５の発明によると、戸パネルを少なくともラッチが解除された半開き位置まで移動するように開放方向に付勢する付勢手段を設けたことにより、開き戸の開放動作をより容易に行うことができる。
【発明を実施するための最良の形態】
【００２４】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２５】
［実施形態１］
（開き戸）
図１１は本発明の実施形態１に係る開き戸Ｄを示し、この開き戸Ｄは、図４〜図６に示すように、第１空間Ｒ１（図１１では手前側）と第２空間Ｒ２との境界の開口部を開閉するために設置されるもので、枠１と、この枠１の内部に配置された戸パネル１０とを備えている。枠１は、支持側及び回動側の左右の縦枠部１ａ，１ｂと、これら両縦枠部１ａ，１ｂの上端間に亘り水平に配設された横枠部１ｃとからなる。戸パネル１０において図１１で右側の縦枠部１ａに対応する端部は支持側端部１０ａ（吊元側端部）に、また図１１で左側の縦枠部１ｂに対応する端部は回動側端部１０ｂ（先端側端部）にそれぞれ設定され、支持側端部１０ａは、該支持側端部１０ａに対応する図１１右側の縦枠部１ａに上下複数の蝶番１１，１１（支軸）を介して回動可能に支持されている。このことで戸パネル１０は枠１に蝶番１１，１１によって開閉可能に支持され、その蝶番１１，１１を支点として、戸パネル１０を回動側端部１０ｂが第１空間Ｒ１側に向かう方向に移動するように回動させたときに開き戸Ｄが開く一方、回動側端部１０ｂが第２空間Ｒ２側に向かう方向に移動するように回動させたときに開き戸Ｄが閉じるようになっている。尚、説明の便宜を図るため、枠１及び戸パネル１０の第１空間Ｒ１側を表側とし、第２空間Ｒ２側を裏側とする。
【００２６】
上記枠１の内面には、戸パネル１０を閉じ位置に位置決めして規制するための戸当たり３が取り付けられ、この戸当たりは、縦枠部１ａ，１ｂの内面に取り付けられた縦戸当たり３ａ，３ｂと、横枠部１ｃの内面（下面）に取り付けられた横戸当たり３ｃとからなる。すなわち、図９及び図１０に横戸当たり３ｃの場合を代表して示すように、縦枠部１ａ，１ｂ及び横枠部１ｃの各内面には凹条２が形成され、この凹条２に、例えば中空の樹脂等からなる戸当たり３が嵌合されて取付固定されており（戸当たり３は、中空の樹脂等以外のものでもよく、枠１内面に取付固定された板状のものでもよい）、戸パネル１０が閉じ位置にあるときに、その裏面を戸当たり３に当接させて戸パネル１０を閉じ位置に規制するようにしている。
【００２７】
図示しないが、上記戸パネル１０の回動側端部１０ｂに対応する回動側の縦枠部１ｂの内面において、上記縦戸当たり３ｂの表側（第１空間Ｒ１側）近傍には、所定高さの位置にラッチ受けが取り付けられている。このラッチ受けは、例えば縦枠部１ｂ内面に形成した凹陥部を覆いかつ開口部を有する公知のもので、このラッチ受けの開口部に戸パネル１０側の後述するラッチ２６を進入させることで、そのラッチ２６をラッチ受けと係合させて戸パネル１０を閉じ位置に保持するようになっている。
【００２８】
（ハンドル装置）
上記戸パネル１０の回動側端部１０ｂには、本発明の実施形態に係るハンドル装置１４が設けられている。図１及び図２に示すように、このハンドル装置１４は、戸パネル１０の回動側端部１０ｂに埋め込んで取り付けられる錠部１５と、戸パネル１０の表面側及ぴ裏面側に設けられる１対のハンドル部４１，４１とで構成されている。
【００２９】
すなわち、図３〜図６に示すように、上記戸パネル１０の回動側端部１０ｂの戸先端面には矩形状の収容部５が凹陥形成され、この凹陥部５に錠部１５が嵌合されて取付固定されている。この錠部１５は、戸パネル１０の厚さよりも薄い矩形箱状の金属製ケース１６を備え、このケース１６において戸パネル１０の幅方向に対向する側壁のうち回動側端部１０ｂの戸先端面側に位置する先端側壁には、該先端側壁をケース１６から上下に突出するように延長した取付フランジ部１６ａ，１６ａが一体に形成されており、ケース１６は、戸パネル１０の収容部５内に収容された状態で、取付フランジ部１６ａ，１６ａを戸先端面にねじ止め等で固定することによって戸パネル１０に取り付けられている。
【００３０】
また、上記ケース１６の先端側壁の上下略中央位置には、戸パネル１０が閉じ位置にあるときに上記ラッチ受けと対応する位置にラッチ出没孔１８が開口されている。ケース１６の内部には、その取付フランジ部１６ａ側（戸先端面側）でかつ上下略中央部に略コ字状に折り曲げられた隔壁１９がラッチ出没孔１８を取り囲むように一体的に形成されている。この隔壁１９の上壁部はラッチ出没孔１８の上端部よりも少し上側に、また下壁部はラッチ出没孔１８の下端部よりも少し下側にそれぞれ位置しており、この隔壁１９によりケース１６の内部に、取付フランジ部１６ａ側（戸先端面側）でその上下略中央部に位置するラッチ収容室２０と、取付フランジ部１６ａと反対側である後側を含む残りの部分に位置するラッチ切換機構収容室２１とが区画形成されている。また、隔壁１９の下壁部には取付フランジ部１６ａ側寄りに、後述の突起部５４を挿通させる突起部挿通孔２３が、またケース１６の表裏の側壁部の双方には取付フランジ部１６ａと反対側の下部寄りに、後述の杆部４２を挿通させる矩形状の杆部挿入孔２４，２４（図３に裏側の側壁部のもののみを示す）がそれぞれ貫通形成されている。
【００３１】
上記ラッチ収容室２０にはラッチ２６が、上記ラッチ出没孔１８を挿通して戸先端面に対し出没するようにスライド可能にかつ回動可能に支持されて収容されており、このラッチ２６が戸パネル１０の閉じ位置で突出したときに上記ラッチ受けの開口部に進入係合して戸パネル１０を閉じ位置に保持するようになっている。
【００３２】
上記ラッチ２６は、図４〜図６に示すように、上下方向から見て略菱形状（水平方向の断面形状が略菱形状）のもので、その先端側部に、鉛直面に沿って延びる表側面２７ａ及び裏側面２７ｂからなる先端側テーパ部２７が、また基端側部に、鉛直面に沿って延びる表側面２８ａ及び裏側面２８ｂからなる基端側テーパ部２８がそれぞれ形成されている。先端側テーパ部２７の表側面２７ａと基端側テーパ部２８の裏側面２８ｂとは互いに略平行に延び、先端側テーパ部２７の裏側面２７ｂと基端側テーパ部２８の表側面２８ａとは互いに略平行に延びている。ラッチ２６の基端側部の上下略中央部には、基端側テーパ部２８の裏側面２８ｂを切り欠いてなる断面矩形状の凹溝２９が形成され、この凹溝２９の底面２９ａは、上下方向から見た平面視で円弧状に湾曲する円弧面に形成されている。つまり、この凹溝２９の一端は基端側テーパ部２８の裏側面２８ｂと先端側テーパ部２７の裏側面２７ｂとの境界位置に、また他端は基端側テーパ部２８の表側面２８ａの中間部にそれぞれ位置し、これらの間を上記一端側から他端側に向かって凹溝２９を溝深さが次第に深くなるように切り欠くことで、その底面２９ａを円弧面とするようにしている。
【００３３】
上記ラッチ２６の上下端部には、上記基端側テーパ部２８の表側面２８ａにおいて先端側テーパ部２７の表側面２７ａ近傍位置にそれぞれ上下方向に延びる回転軸用凸部３１，３１が突設されている。この上下の回転軸用凸部３１，３１はそれぞれ上記隔壁１９の上下壁部近くまで延びていて、両回転軸用凸部３１の先端間の高さ寸法は、ラッチ出没孔１８の上下端部間の高さ寸法よりも大きく設定されており、このことで、ラッチ２６を上下の回転軸用凸部３１，３１回りに回動可能にケース１６に支持するとともに、ラッチ２６がラッチ出没孔１８から突出したときに、両回転軸用凸部３１，３１をラッチ出没孔１８の上下両側のケース１６に係止して、そのラッチ２６がラッチ出没孔１８から抜け出るのを規制するようになっている。
【００３４】
また、ラッチ２６の下端部には、上記基端側テーパ部２８の表側面２８ａにおいて凹溝２９の底面２９ａの円弧面の他端が交差する位置と上下に対応して、ロック用凹部３２が形成されている。このロック用凹部３２は、ラッチ２６の基端部を先端側に向かって先端側テーパ部２７の表側面２７ａ（従って、基端側テーパ部２８の裏側面２８ｂ）と平行になるように断面矩形状に切り欠いたもので、図４に示すように、ラッチ２６が先端側テーパ部２７の表側面２７ａ（基端側テーパ部２８の裏側面２８ｂ）を戸パネル１０の表裏面と平行にして戸先端面から突出した状態では、上記隔壁１９の下壁部の突起部挿通孔２３に上下に対応するようになっており、後述する突起部５４が上昇移動により隔壁１９の突起部挿通孔２３を貫通して係合したときに、ラッチ２６をケース１６の隔壁１９にスライド不能でかつ回動不能に係合するようにしている。つまり、上記ラッチ２６は、突起部５４と係合したときに戸先端面から突出して出没不能となるロック状態と、突起部５４との係合が解除されたときに戸先端面に対し出没可能となるロック解除状態とに切り換わるものとされている。
【００３５】
さらに、上記ラッチ収容室２０にはラッチ２６を突出方向に押し出すラッチ押出部材３４が設けられている。このラッチ押出部材３４は、隔壁１９においてラッチ２６の基端側（戸パネル１０の支持側端部１０ａ側）に位置する側壁部の上下略中央部にスライド可能に挿通支持された押出ロッド３５を備えている。この押出ロッド３５は、戸パネル１０と平行に水平方向に延び、その取付フランジ部１６ａ側（戸先端面側）に位置する先端部には他の部分よりも大径の大径部３５ａが形成され、この大径部３５ａと隔壁１９の側壁部との間には、押出ロッド３５の周りに位置するコイルばねからなる押出ばね３６が縮装されており、この押出ばね３６によって押出ロッド３５を大径部３５ａが取付フランジ部１６ａに向かうように付勢して、その大径部３５ａでラッチ２６における凹溝２９の底面２９ａ（円弧面）を押圧し、そのラッチ２６を常時突出方向に付勢するようにしている。
【００３６】
図１に示すように、上記戸パネル１０の表面側及び裏面側にはそれぞれ板状の座部４０，４０が戸パネル１０内のケース１６に対応して取付固定され、この各座部４０に上記ハンドル部４１が揺動可能に支持されている。つまり、表裏１対のハンドル部４１，４１は戸パネル１０の表面側及び裏面側にそれぞれ設けられている。
【００３７】
上記各ハンドル部４１は杆部４２と操作部４６とを有する。杆部４２は戸パネル１０の表裏面に略直交する表裏方向に水平に延びる直棒状のもので、その内側端４２ａは座部４０及び戸パネル１０を貫通した後にケース１６の表裏側壁部の杆部挿入孔２４を通ってケース１６内に位置しており、両ハンドル部４１，４１の杆部４２，４２の内側端４２ａ，４２ａは、ケース１６内において戸パネル１０の幅方向に並んだ状態で近接配置されている。
【００３８】
各杆部４２の外側端４２ｂは戸パネル１０の表裏外側に突出し、この各杆部４２の外側端４２ｂに上記操作部４６が一体的に取付固定されている。また、杆部４２の中間部は座部４０に対し戸パネル１０の表裏面に平行に水平方向に延びる軸部４３により回動可能に支持されている。
【００３９】
一方、各操作部４６は、戸パネル１０の表裏面と平行に延びる断面円形状の丸棒状のもので、この操作部４６の下部寄り位置には、杆部４２の長さ方向の延長線上に位置するように戸パネル１０側に向かう連結部４６ａが一体に突設され、この連結部４６ａの先端部が上記杆部４２の外側端４２ｂに一体的に固定されている。
【００４０】
そして、上記各ハンドル部４１は、その操作部４６が杆部４２の外側端４２ｂに固定されることで、戸パネル１０の移動方向と実質的に垂直な操作方向である下方向に移動可能に設けられている。また、各ハンドル部４１の操作部４６の上面には、各ハンドル部４１を操作して開き戸Ｄを開く際に、上記ハンドル部４１に対する操作方向たる下方向の開き操作力が加えられる操作力作用面４７が形成されている。この操作力作用面４７を含む操作部４６の外周面全体に滑り止め処理が施されており、その操作力作用面４７へ開き操作力が作用しない通常の状態では、図１に示すように、操作部４６の連結部４６ａ及び杆部４２が水平状態になり、ハンドル部４１が上側に移動してラッチ非解除位置に位置する一方、操作力作用面４７へ下向きの開き操作力が作用したときには、図２に示すように、その作用により操作部４６の連結部４６ａ及び杆部４２が斜め下向き状態に傾斜し、ハンドル部４１が下方向（操作方向）に沿ってラッチ非解除位置からラッチ解除位置に移動するようになっている。また、操作部４６の下部寄り位置に連結部４６ａが突設されているので、このハンドル部４１のラッチ解除位置では、操作部４６上面の操作力作用面４７と連結部４６ａの先端部（杆部４２の外側端４２ｂへの連結部分）との高さが略同じになる。
【００４１】
上記操作部４６に対する滑り止め処理は、合成樹脂やゴム等からなる滑り止め機能を有するシートの貼着、滑り止め塗料の塗布、エンボス加工、合成樹脂やゴム等からなる滑り止め機能を有する材料を部分的に埋め込む等の手段により行うことができる。また、操作部４６自身に摩擦の大きい合成樹脂やゴム等の材料を用いてもよい。尚、滑り止め処理は、操作部４６の全面に施す必要はなく、操作力作用面４７のみであってもよい。
【００４２】
さらに、上記各ハンドル部４１がラッチ解除位置に移動したときに上記ラッチ２６をロック解除状態に切り換えるラッチ切換機構５０が設けられている。このラッチ切換機構５０は、図３に示すように、戸パネル１０の錠部１５におけるケース１６のラッチ切換機構収容室２１内に揺動可能に設けられたトリガー部５１を有する。このトリガー部５１は、ラッチ切換機構収容室２１内を戸パネル１０の表裏面に沿って略水平に延びる例えば厚肉の板状のもので、ケース１６の表裏の側壁部に表裏方向に水平に延びる支持軸５２を介して揺動可能に支持されている。トリガー部５１は、ケース１６の取付フランジ部１６ａと反対側にあるレバー側端部５１ａ、及び取付フランジ部１６ａ側にあるアーム側端部５１ｂを有する。上記レバー側端部５１ａには、上方に延びた後に取付フランジ部１６ａと反対側に向かって水平方向に延びるように折り曲げられた略Ｌ字状の係合部５３が一体に形成され、この係合部５３の水平部分は上記各杆部４２の内側端４２ａ上面に当接しており、表側又は裏側のいずれか一方のハンドル部４１が開き操作されてラッチ非解除位置からラッチ解除位置に下降移動し、その杆部４２の内側端４２ａが上方向に移動したときに、この内側端４２ａにより係合部５３が押し上げられてトリガー部５１が支持軸５２回りに図３で反時計回り方向に回動し、そのレバー側端部５１ａが上方向に移動して、アーム側端部５１ｂが下方向に移動するようになっている。
【００４３】
さらに、上記トリガー部５１のアーム側端部５１ｂの上面には突起部５４が一体的に突設されている。この突起部５４は、上記隔壁１９の下壁部の突起部挿通孔２３に上下に対応して設けられている。また、トリガー部５１のアーム側端部５１ｂ下面とケース１６の内底面との間には、トリガー部５１を図３で時計回り方向に付勢するコイルばねからなるトリガーばね５５が縮装されており、常時はトリガーばね５５の付勢力によってトリガー部５１が図３で時計回り方向に回動してアーム側端部５１ｂが上昇し、その突起部５４が突起部挿通孔２３を通って隔壁１９内のラッチ収容室２０に進入してラッチ２６下面のロック用凹部３２に係合することで、そのラッチ２６をロック状態（突出位置）に固定する一方、ハンドル部４１における操作部４６上面の操作力作用面４７を下方向に押してハンドル部４１をラッチ解除位置に移動させたときには、杆部４２の外側端４２ｂが下方向に移動して内側端４２ａが上方向に移動し、トリガー部５１がトリガーばね５５の付勢力に抗して図３で反時計回り方向に回動し、突起部５４が下方向に移動して上記ラッチ２６下面のロック用凹部３２から抜け出て両者の係合を解除することにより、ラッチ２６が回動可能でかつスライド可能なフリーとなって戸パネル１０内へ没入可能なロック解除状態に切り換えられるようになっている。
【００４４】
上記支持軸５２から、トリガー部５１のレバー側端部５１ａにおいて係合部５３が各杆部４２の内側端４２ａに当接する位置までの長さＬ１と、支持軸５２からアーム側端部５１ｂの突起部５４までの長さＬ２とを比較したとき、前者の長さＬ１が後者の長さＬ２よりも小さく設定されており（Ｌ１＜Ｌ２）、杆部４２の内側端４２ａの僅かな動きで、トリガー部５１のアーム側端部５１ｂにおける突起部５４を大きく移動させてラッチ２６をロック解除状態に切り換え得るようにしている。
【００４５】
（付勢装置）
再び図１１に示すように、枠１の内側の戸当たり３において、閉じ位置にある戸パネル１０の回動側端部１０ｂに対応する位置の横戸当たり３ｃに、戸パネル１０を少なくとも上記ラッチ２６が解除された半開き位置まで移動するように開放方向に付勢する付勢装置６０（付勢手段）が設けられている。
【００４６】
すなわち、本発明では、ハンドル装置１４は、従来のように、レバーハンドルやノブ（握り玉）を「掴んで戸パネル１０を開き方向に移動させる」動作を行わないため、付勢装置６０を設けて戸パネル１０を開き方向へ付勢することで、開き戸Ｄの開放操作を有効に働かせるようにしている。
【００４７】
この付勢装置６０は、図７〜図１０に示すように、箱状のケース６１を有し、このケース６１の上面（基端側）には表裏１対の脚部６１ａ，６１ａが互いに間隔をあけて上向きに突設されており、この脚部６１ａ，６１ａ間に横戸当たり３ｃを挟み込んで固定することで、ケース６１が横戸当たり３ｃよりも下側に位置付けられて取付固定されている。このケース６１の横戸当り３ｃへの取付けは、ねじ、接着剤、両面粘着テープ等の固定手段により行われている。
【００４８】
ケース６１において、閉じ位置にあるときの戸パネル１０の裏側に対向する表側壁部には円形状の開口６２が貫通形成されている。また、ケース６１の内部には有底円筒状のピストン部材６３が、その先端部（底部）を上記開口６２から出没させるようにスライド可能に支持され、このピストン部材６３の内底部とケース６１の裏側壁部との間には、ピストン部材６３を突出方向に付勢するコイルばねからなる押出ばね６４が一部をピストン部材６３の内部に収納して縮装されており、図９に示すように、戸パネル１０が戸当たり３に規制されて閉じ位置にあるときには、戸パネル１０がピストン部材６３を押して押出ばね６４の付勢力に抗して没入させ、その状態で、押出ばね６４の伸張力（復元力）によりピストン部材６３を介して戸パネル１０を表側に押して開き戸Ｄの開放方向に付勢し、少なくとも戸パネル１０をラッチ２６が解除された半開き位置まで移動させるようになっている。
【００４９】
（開き戸の開き動作）
次に、上記実施形態の開き戸Ｄの開き動作について説明する。開き戸Ｄの閉じ位置では、図１に示すように、各ハンドル部４１はラッチ非解除位置にあって、その操作部４６の連結部４６ａと、該連結部４６ａが一体的に固定されている杆部４２とは水平状態にある。また、図３に示す如く、上記杆部４２のケース１６内にある内側端４２ａの上面にトリガー部５１の係合部５３が当接しており、このトリガー部５１はトリガーばね５５の付勢力によってアーム側端部５１ｂが上昇し、そのアーム側端部５１ｂに突設されている突起部５４がケース１６の突起部挿通孔２３を通って隔壁１９内のラッチ収容室２０に進入して錠部１５におけるラッチ２６下面のロック用凹部３２に係合している。このことで、図４に示すように、ラッチ２６が戸パネル１０の戸先端面から突出したロック状態にロック固定され、そのラッチ２６は枠１の戸当たり（その開口部）に係合しており、戸パネル１０が閉じ位置に保持されている。
【００５０】
また、戸パネル１０が閉じ位置にあるので、図９に示すように、その戸パネル１０により付勢装置６０のピストン部材６３が押されて押出ばね６４の付勢力に抗して没入しており、その押出ばね６４の伸張力（復元力）により戸パネル１０が開放方向に付勢されている。
【００５１】
そして、このような状態から、開き戸Ｄを開くときには、表側又は裏側のいずれか一方のハンドル部４１を開き操作する。つまり、その操作部４６上面の滑り止め処理が施された操作力作用面４７を下方向に押して、ハンドル部４１を上記ラッチ非解除位置からラッチ解除位置に移動させる。図２は表側（第１空間Ｒ１側）のハンドル部４１を開き操作してラッチ解除位置に移動させた状態を例示しており、裏側のハンドル部４１を開き操作する場合も同様となる。そのとき、操作部４６上面の滑り止め処理が施された操作力作用面４７は、操作部４６の連結部４６ａの先端部（杆部４２外側端４２ｂへの連結部分）と略同じ高さになる。このようなハンドル部４１のラッチ解除位置への移動に伴い、そのハンドル部４１の杆部４２が軸部４３回りに回動して、その外側端４２ｂが下降移動する一方、内側端４２ａが上昇し、この上昇移動する内側端４２ａに押されて係合部５３が押し上げられ、この係合部５３の上昇によりトリガー部５１はレバー側端部５１ａが上昇する一方、アーム側端部５１ｂが下降するようにトリガーばね５５の付勢力に抗して図３で反時計回り方向に回動する。そして、このアーム側端部５１ｂの下降移動により突起部５４も下方向に移動して上記ラッチ２６下面のロック用凹部３２から抜け出る（突起部５４はケース１６の突起部挿通孔２３からは下側に抜け出さない）。このことで、上記突起部５４によるラッチ２６への係合が解除され、そのラッチ２６は回動可能でかつスライド可能なフリーとなって戸パネル１０内へ没入可能なロック解除状態に切り換えられる。
【００５２】
このようにラッチ２６がロック解除状態になると、戸パネル１０は上記付勢装置６０の押出ばね６４の伸張力（復元力）により開放方向に付勢されているので、図１０に示すように、そのピストン部材６３がケース６１から突出し、このピストン部材６３により戸パネル１０の回動側端部１０ｂが横戸当たり３ｃ（戸当たり３）から離れるように押されて戸パネル１０が開き方向に回動する。この戸パネル１０の移動に伴い、図５に示すように、上記ラッチ２６の先端側テーパ部２７の表側面２７ａが枠１側のラッチ受け（その開口部の側縁）に押されて、ラッチ２６は押出ロッド３５の大径部３５ａを凹溝２９の底面２９ａ（円弧面）上で滑らせながら、回転軸用凸部３１を中心に図で時計回り方向に回動する。さらに戸パネル１０が開いて、上記ラッチ２６の先端側テーパ部２７の表側面２７ａがラッチ受けにさらに押されると、図６に示すように、その表側面２７ａへの押圧力の分力によってラッチ２６がラッチ押出部材３４の押出ばね３６の付勢力に抗してラッチ収容室２０内に没入し、ラッチ出没孔１８から突出しない状態となる。少なくとも、この状態まで上記付勢装置６０による戸パネル１０に対する付勢力が続き、このことで戸パネル１０が半開き位置に達する。
【００５３】
斯かる半開きの後、上記付勢装置６０が戸パネル１０を半開き位置を越えてさらに開放方向に付勢するものである場合には、その付勢装置６０の付勢力が続いているので、戸パネル１０がさらに開き方向に押されて開き戸Ｄが開く。一方、付勢装置６０が戸パネル１０を半開き位置まで開放方向に付勢するものである場合には、引き続き、上記ハンドル部４１の操作部４６を押し下げてハンドル部４１をラッチ解除位置に保持したまま、その操作部４６を、表側のハンドル部４１にあっては手前に引き（図示例の場合）、裏側のハンドル部４１にあっては表側（奥側）に押すことで、戸パネル１０をさらに開いて開放状態にすればよい。
【００５４】
尚、このように戸パネル１０が上記半開き状態からさらに開き、ラッチ２６がラッチ受けから外れて該ラッチ受けから押えられない状態になると、そのラッチ２６はラッチ押出部材３４に押されて再びラッチ出没孔１８から突出する。この状態でハンドル部４１から手を離すと、杆部４２及びトリガー部５１がトリガーばね５５の付勢力によって上記開き操作時と逆方向に回動し、そのトリガー部５１のアーム側端部５１ｂの突起部５４が上昇してラッチ２６のロック用凹部３２に係合して、ラッチ２６は再びロック状態に固定される。
【００５５】
したがって、この実施形態においては、開き戸Ｄを開く場合、その戸パネル１０の表面側及び裏面側にそれぞれ設けられたハンドル部４１，４１の一方又は両方の操作力作用面４７に戸パネル１０の移動方向と実質的に垂直な下方向に開き操作力を加えて、そのハンドル部４１を下方向に沿ってラッチ解除位置に達するまで移動させることで、ラッチ２６がロック解除状態に切り換えられ、そのロック解除状態でハンドル部４１を手前側に引くか或いは奥側へ押すかして開き戸Ｄが開くので、プッシュ式のハンドルのように不意にラッチが解除されて開き戸が開き、その開き戸の開放と共に転倒する等の事故を防ぐことができる。
【００５６】
また、ハンドル部４１を操作力作用面４７で操作してラッチ解除位置に移動させると、ラッチ２６のロック状態が解除されるので、従来のように握り操作や指を掛ける操作を要することなく開き戸Ｄの開閉ができ、手先の運動機能に障害がある身障者や握力の弱い高齢者等であっても開き戸Ｄの開き操作を容易に行うことができる。
【００５７】
さらに、ハンドル部４１の操作力作用面４７を含む操作部４６全面に滑り止め処理が施されているので、上記ラッチ２６を解除するためのハンドル部４１の操作、及びハンドル部４１で戸パネル１０を手前に引く操作又は奥側に押す操作を滑ることなく確実に行うことができる。
【００５８】
また、開き戸Ｄには、戸パネル１０を少なくともラッチ２６が解除された半開き位置まで移動するように開放方向に付勢する付勢装置６０が設けられているので、開き戸Ｄの開放動作をより容易に行うことができる。
【００５９】
［実施形態２］
図１２及び図１３は本発明の実施形態２を示し（尚、以下の各実施形態では、図１〜図１１と同じ部分は同じ符号を付してその詳細な説明を省略する）、ハンドル部４１の構成を変えたものである。
【００６０】
すなわち、この実施形態では、ハンドル部４１の操作部４６は、実施形態１のような断面円形の丸棒状ではなく、上面の操作力作用面４７が平面とされた断面形状のものとされている。また、この操作部４６には実施形態１で説明した連結部４６ａが設けられていない。
【００６１】
また、ハンドル部４１の杆部４２は、実施形態１の如き直棒状のものと異なり、軸部４３に支持されている中間部で下向きに凸形状となるように略く字状に折れ曲がり、その外側端４２ｂに上記操作部４６が取り付けられている。そして、図１２に示すように、ラッチ非解除位置では、杆部４２の内側半部が水平になって内側端４２ａよりも外側端４２ｂが高くなり、この外側端４２ｂと一体の操作部４６上面の操作力作用面４７が戸パネル１０に向かって下向きになるように傾斜する一方、ラッチ解除位置では、図１３に示すように、杆部４２の外側半部が水平になって外側端４２ｂよりも内側端４２ａが高くなり、操作部４６上面の操作力作用面４７が水平になるようになっている。その他の構成は上記実施形態１と同じである。
【００６２】
したがって、この実施形態でも上記実施形態１と同様の作用効果を奏することができる。特に、実施形態の場合、ハンドル部４１の操作部４６上面の操作力作用面４７が平面状であるので、その操作力作用面４７の面積が広くなり、滑り止め機能がより効果的に働く利点が得られる。
【００６３】
［実施形態３］
図１４〜図１７は本発明の実施形態３を示し、付勢装置６０の戸当たり３に対する取付構造を変更したものである。この実施形態では、上記実施形態１とは異なり、横戸当たり３ｃの一部が部分的に切り欠かれて切欠部４が形成されている。
【００６４】
そして、付勢装置６０のケース６１には実施形態１の如き脚部６１ａ，６１ａがなく、そのケース６１は、横戸当たり３ｃに対しピストン部材６３が上記切欠部４内にそれと同じ高さ位置に位置するように外嵌合されて恰も埋込み状態で取付固定されている。
【００６５】
その他は上記実施形態１と同様の構成である。よって、この実施形態でも実施形態１と同様の作用効果を奏することができる。
【００６６】
［実施形態４］
図１８及び図１９は本発明の実施形態４を示し、付勢装置６０の取付位置を変更したものである。この実施形態では、上記実施形態１又は３とは異なり、付勢装置６０のケース６１は、戸パネル１０の支持側端部１０ａの戸先端面における裏側寄りに埋め込まれ、そのケース６１内にピストン部材６３が押出ばね６４により付勢されて戸先端面から突出するように収容支持されており、このピストン部材６３により枠１における支持側の縦枠部１ａの内面を押すことで、その反力により戸パネル１０を開き方向に付勢するようにしている。その他の構成は実施形態１と同様である。従って、この実施形態でも実施形態１と同様も作用効果が得られる。図１８中、７は縦枠部１ａを取り付ける柱である。
【００６７】
尚、この実施形態においては、付勢装置６０のケース６１を戸パネル１０の支持側端部１０ａの戸先端面に、ケース６１内のピストン部材６３が押出ばね６４の付勢力によって縦枠部１ａの内面を押すように埋め込んでいるが、これとは逆に、付勢装置６０のケース６１を縦枠部１ａの内面に埋め込み、そのケース６１内のピストン部材６３がばね６４の付勢力によって戸パネル１０の支持側端部１０ａの戸先端面を押すように踏め込んでもよい。
【００６８】
［実施形態５］
図２０は本発明の実施形態５を示し、付勢装置６０を変更したものである。この実施形態では、付勢装置６０は、枠側磁石６６及び戸パネル側磁石６７の１対の磁石からなる。枠側磁石６６は、上記実施形態１と同様に、閉じ位置にある戸パネル１０の回動端側部１０ｂに対応する位置の横戸当たり３ｃ（横枠部１ｃ下面の戸当たり３）に取付固定されている。一方、戸パネル側磁石６７は戸パネル１０の裏面に、その戸パネル１０が閉じ位置にあるときに上記枠側磁石６６に表裏方向に対向するように高さ及び左右位置が位置決めされて取付固定されている。そして、両磁石６６，６７において戸パネル１０が閉じ位置にあるときに対向する側面の磁極は互いに同じ磁極に設けられており、戸パネル１０の閉じ位置で両磁石６６，６７間の反発磁力により、戸パネル１０を少なくともラッチ２６が解除された半開き位置まで移動するように開放方向に付勢している。
【００６９】
その他の構成は実施形態１と同じである。よって、この実施形態でも実施形態１と同様の作用効果を奏することができる。
【００７０】
尚、上記枠側磁石６６は、横戸当たり３ｃに代えて縦戸当たり３ａ，３ｂに取り付けてもよく、この枠側磁石６６の位置に対応するように戸パネル側磁石６７の位置も変更される。また、各磁石６６，６７は戸当り３及び戸パネル１０の内部に埋め込んでもよいし、シート状の磁石を貼着してもよい。磁石６６，６７の表面に戸パネル１０等の表面化粧と近い模様や色のシートを貼着しておくと、磁石を目立ち難くすることができ、意匠性を向上させることができる。
【００７１】
［実施形態６］
図２１及び図２２は本発明の実施形態６を示し、付勢装置６０をさらに変更したものである。この実施形態では、付勢装置６０は、戸パネル１０の回動側端部１０ｂに対応する縦枠部１ｂ内面に下端部を水平方向の軸６９により揺動可能に支持された押出部材７０と、この押出部材７０の上端部に取り付けられ、押出部材７０を傾倒するように図で反時計回り方向に回動付勢する錘７１とからなり、この錘７１の自重によって押出部材７０を図２１に示す起立位置から傾倒方向に回動付勢して、その傾倒端部である上端部で戸パネル１０を裏面側から押すことにより、戸パネル１０を開き方向に付勢するようにしている。
【００７２】
図中、７２は押出部材７０の戸パネル１０側（表側）下部の縦枠部１ｂ内面に突設された下側固定ピンで、傾倒する押出部材７０に当接してその傾倒範囲を規制する。また、７３は押出部材７０の戸パネル１０と反対側（裏側）上部の縦枠部１ｂ内面に突設された上側固定ピンで、押出部材７０が戸パネル１０側と逆側に倒れないように規制するものである。その他の構成は実施形態１と同じである。
【００７３】
この実施形態の場合、開き戸Ｄの閉じ状態では、図２１に示すように、押出部材７０は戸パネル１０に押されて起立位置にある。そして、ラッチ２６が解除されると、図２２に示すように、錘７１の自重により回動付勢されている押出部材７０が戸パネル１０を押しながら倒れ、この押出部材７０により押されて戸パネル１０が開く。よって、この実施形態でも実施形態１と同様の作用効果が得られる。
【００７４】
［他の実施形態］
本発明は上記各実施形態に限定されない。例えば、上記各実施形態では、各ハンドル部４１の杆部４２を上下方向の平面（鉛直面）に沿って揺動可能とし、操作力作用面４７を下側に押してハンドル部４１を下方向のラッチ解除位置（水平位置）まで下げることでラッチ２６を解除するようにしているが、これとは逆に、操作力作用面４７を操作部４６の下面に設け、操作力作用面４７を上側に押してハンドル部４１を上方向のラッチ解除位置（水平位置）まで上げることでラッチ２６を解除するようにしてもよい。また、ハンドル部４１の杆部４２を上下方向以外の平面、例えば水平面や斜めの平面に沿って揺動可能とし、その平面に沿った方向の一方に操作力作用面４７を設け、その操作力作用面４７を押してハンドル部４１を平面に沿ってラッチ解除位置まで移動させることでラッチ２６を解除するようにしてもよい。要は、ハンドル部４１を戸パネル１０の表面側及び裏面側にそれぞれ戸パネル１０の移動方向と実質的に垂直な操作方向（実質的に戸パネル１０と平行な方向）に移動可能にして、そのハンドル部４１に当該操作方向の操作力が加えられる操作力作用面４７を設け、その操作力作用面４７への操作力の作用によりハンドル部４１が操作方向に沿ってラッチ非解除位置からラッチ解除位置に移動するようにすればよいのである。
【００７５】
また、上記実施形態１〜３では、付勢装置６０を枠１の横枠部１ｃ（横戸当たり３ｃ）に設けているが、この横枠部１ｃ以外に戸パネル１０の回動端側部に対応する縦枠部１ｂ（縦戸当たり３ｂ）に設けてもよい。また、付勢装置６０のケース６１を戸当たり３に取り付けるのではなく、戸パネル１０の裏面において戸当り３と対向する個所に埋め込むようにしてもよく、上記と同様の作用効果が得られる。
【００７６】
さらに、上記各実施形態は、第１空間Ｒ１から見て支持側端部１０ａが右側にあり回動側端部１０ｂが左側にある戸パネル１０の例であるが、本発明は、逆に、第１空間Ｒ１から見て支持側端部１０ａが左側にあり回動側端部１０ｂが右側にある戸パネルに適用できるのは言うまでもない。
【産業上の利用可能性】
【００７７】
本発明は、手先の運動機能に障害がある身障者や握力の弱い高齢者等であっても開き戸を開け易くすることができる点で極めて有用であり、産業上の利用可能性が高い。
【図面の簡単な説明】
【００７８】
【図１】図１は、本発明の実施形態１に係る開き戸のハンドル装置を戸パネルの回動側端部の戸先端側から見て示す側面図である。
【図２】図２は、ハンドル部がラッチ解除位置に開き操作された状態を示す図１相当図である。
【図３】図３は、ハンドル装置のラッチ切換機構を示す垂直断面図である。
【図４】図４は、ラッチのロック状態を示す水平断面図である。
【図５】図５は、ラッチがロック解除されて回動した状態を示す図４相当図である。
【図６】図６は、ラッチがロック解除されて戸パネル内に没入した状態を示す図４相当図である。
【図７】図７は、付勢装置の正面図である。
【図８】図８は、図７のVIII方向矢視図である。
【図９】図９は、付勢装置のピストン部材がケース内に没入した状態を示す、図７のIX−IX線断面図である。
【図１０】図１０は、ピストン部材がケースから突出した状態を示す図９相当図である。
【図１１】図１１は、本発明の実施形態１に係る開き戸を開いた状態で示す正面図である。
【図１２】図１２は、実施形態２に係る開き戸のハンドル装置を示す図１相当図である。
【図１３】図１３は、実施形態２に係る開き戸のハンドル装置を示す図２相当図である。
【図１４】図１４は、実施形態３を示す図７相当図である。
【図１５】図１５は、実施形態３を示す図８相当図である。
【図１６】図１６は、実施形態３を示す図９相当図である。
【図１７】図１７は、実施形態３を示す図１０相当図である。
【図１８】図１８は、実施形態４に係る付勢装置を示す水平断面図である。
【図１９】図１９は、実施形態４の要部を拡大して示す水平断面図である。
【図２０】図２０は、実施形態５に係る付勢装置を取り付けた状態で示す図１１相当図である。
【図２１】図２１は、実施形態６に係る付勢装置を枠の内側から見て示す側面図である。
【図２２】図２２は、戸パネルが開いた状態を示す図２１相当図である。
【符号の説明】
【００７９】
Ｄ  開き戸
１  枠
３  戸当たり
１０  戸パネル
１４  ハンドル装置
１６  ケース
２６  ラッチ
４１  ハンドル部
４２  杆部
４２ａ  内側端
４２ｂ  外側端
４６  操作部
４７  操作力作用面
５０  ラッチ切換機構
５１  トリガー部
５１ａ  レバー側端部
５１ｂ  アーム側端部
５４  突起部
６０  付勢装置（付勢手段）
【図１】
2008208560.tif 000003
【図２】
2008208560.tif 000004
【図３】
2008208560.tif 000005
【図４】
2008208560.tif 000006
【図５】
2008208560.tif 000007
【図６】
2008208560.tif 000008
【図７】
2008208560.tif 000009
【図８】
2008208560.tif 000010
【図９】
2008208560.tif 000011
【図１０】
2008208560.tif 000012
【図１１】
2008208560.tif 000013
【図１２】
2008208560.tif 000014
【図１３】
2008208560.tif 000015
【図１４】
2008208560.tif 000016
【図１５】
2008208560.tif 000017
【図１６】
2008208560.tif 000018
【図１７】
2008208560.tif 000019
【図１８】
2008208560.tif 000020
【図１９】
2008208560.tif 000021
【図２０】
2008208560.tif 000022
【図２１】
2008208560.tif 000023
【図２２】
2008208560.tif 000024